(57)【要約】【課題】水洗便器洗浄用タンク内へ洗浄水を給水する場合、給水落下音が発生して居住者に不快感を与えている。本発明はこの給水落下音を簡単に除去する方法の提案を目的とする。【解決手段】水洗便器洗浄用タンク内のボールタップから洗浄水を給水するに際し、ボールタップからの落下水は、吐水口にパイプを接続して洗浄水をタンクの底面に沿って、そこに溜まっている溜水の中に導くようにする。さらに必要ならば、ボールタップの漏れ水をガター（樋）で受けて、側壁に沿って流すようにする。一方、手洗鉢からの落下水に対しては、水面に直接落とさず、ガター（樋）で受けてタンクの側壁に導き、タンクの側壁に沿って流すようにする。【選択図】      図１
2004190461.tif 000002
【特許請求の範囲】
【請求項１】
水洗便器の使用後に流す水を貯水する水洗便器洗浄用タンク（１）の給水機構であって、ボールタップ（３）から該タンク（１）内へ給水するに際して、補助給水具（２０、４０）及び又は導水パイプ（３０）を介して該タンクの側壁（１３）及び又は底面（１４）に沿って給水することを特徴とする水洗便器洗浄用タンクの給水機構。
【請求項２】
前記水洗便器洗浄用タンク（１）の手洗鉢（６）及び又はボールタップ（３）からの落下水を、該タンク（１）内へ給水する際の補助給水具であって、該手洗鉢（６）の吐水口（７）及び又はボールタップ（３）からの落下水を該タンク（１）の側壁（１３）に導流するガター（樋）（２１、４１）を有することを特徴とする水洗便器洗浄用タンクの補助給水具。
【請求項３】
前記ボールタップ（３）の吐水口（４）に接続して洗浄水を前記タンク内の底面（１４）へ給水する導水パイプ（３０）であって、フレキシブルなパイプの一端に締付具（３１）を有し、他の一端に水路拡大筒（３２）を備えることを特徴とする水洗便器洗浄用タンクの導水パイプ。
【発明の詳細な説明】
【０００１】
【発明の属する技術分野】本発明は水洗便器洗浄用タンクの静音化給水機構及び補助給水具に関する。
【０００２】
【従来の技術】居住性能の質的向上にともなって各種の水洗便器が普及している。このうち一般住宅や集合住宅においては洋式のタンク密結といわれるタンク密結型便器が多く使われている。本方式は便器の使用後、タンクに貯水された洗浄水を放出して汚物を洗い流し、洗浄水を放出した後は再びタンクに洗浄水を貯水しておくものである。しかし、水洗化されることにより便器の洗浄音や給水器具からの発生音などが騒音となって、居住者に不快感を与え、場合によっては深夜の安眠を妨げる原因にもなっている。
【０００３】タンク密結型便器の騒音としては、▲１▼ボールタップからの給水音▲２▼タンク内への給水落下音▲３▼便器を洗浄する際の洗浄音▲４▼排水管中を流れる搬送音などがあげられる。これらの発生騒音を抑制するために、昭和４９年頃から消音型と称する節水消音型便器が登場し、種々の対策が講じられている。例えば、止水栓のコマ部にコーンケレップを使用してハンドルの開閉により流量の調整を行ったり、又ボールタップにスロットル管を内蔵させて瞬間流量の低下を図っている。一方、ボールタップや手洗鉢からタンク内へ水が落ちる時の給水落下音に対しては、それぞれの吐水口に消音網（整流網）を設けて落下する水を水飴状に整流して静音化を図っている。
【０００４】他方、寒冷地においては洗浄水の凍結を防ぐため連続給水を行う必要があり、給水落下音が連続して発生する。このため電磁弁等を用いてタンクの下部から給水を行い、給水落下音を無くして静音化を図る方法が提案されている。（例えば特開２００２−３１７４８０）
【０００５】
【発明が解決しようとする課題】ボールタップや手洗鉢の吐水口に消音網を設けて整流を行っても、洗浄水が水面に直接落下するのには変わりはなく、給水落下音の発生は防げない。特に給水の終了時には水滴が形成されて消音網が無い時と同じような落下音が発生する。又、手洗鉢の吐水口に消音網を設ける場合には目ずまりのおそれがあり、取り付けも簡単ではない。
【０００６】一方、タンクの下部から給水する方法は現在の上部から給水する浮玉方式に比べて装置が複雑となる。さらに、これ迄一般家庭に普及している水洗便器洗浄用タンクは、給水口がタンクの上部に設けられているのが多く、これらの給水口を下部に取り替えることは容易ではない。このような状況に鑑みて、本発明は新設のタンクは勿論のこと、既設のタンクにおいても簡単な方法によって給水落下音を減らし、これによって水洗便器をより静かにすることを目的としている。
【０００７】
【課題を解決するための手段】上記目的を達成するために、本発明の水洗便器洗浄用タンクの給水機構及び補助給水具においては、ボールタップの吐水口にパイプを連結して、洗浄水を直接タンクの底面に沿って給水するか、あるいはタンクの側壁に沿って給水するようにするものである。連結するパイプとしては、金属、非金属のいずれのパイプも使用することが出来、タンクを新規に製作する場合には予め金属パイプを所定の位置に設けることが出来る。一方、既設のタンクにおける場合には、非金属のフレキシブルなパイプが取り付けやすくて便利である。例えば、フレキシブルなビニールパイプやゴムパイプのような安価なものをそのまま使用することが出来、タンク内の浮玉や、フロート弁、鎖などの部品の機能を妨害しないような場所に設置すれば、特に消音網などを使用しなくとも給水落下音を簡単に減らすことが出来る。この際、パイプがはずれて排水口につまったりしないようにするため、連結部を締付具等で固定することが望ましく、又静音化効果をより大きくするには、底面や側壁にできるだけ広く給水する方がよい。
【０００８】他方、ボールタップから一部バイパスして手洗吐水管を使用するタンクにおいては、手洗鉢からタンク内へ落下する水を直接水面に落とさず、緩やかな勾配のガター（樋）を有する補助給水具を設けて、落下水をタンクの側壁へ導き、側壁に沿って水面に注ぐようにする。ボールタップからの漏れ落下水についても、同様にガター（樋）で側壁に導くか、あるいは導水パイプで底面に送るようにする。
【０００９】以上のように構成された水洗便器洗浄用タンクを用いれば、ボールタップからの給水も以下のような理由によって静音化が図られる。即ち、タンクの形状、材質、空間容量などの違いによって固有振動数が異なるため、タンク内の発生音を定量的に表現することは困難であるが、総括的に見て、洗浄水を洗浄用タンクに給水する場合、給水落下音には特に大きな共鳴現象は認められず、感覚的には水量が多くなる程、又、落下速度が速くなる程、発生音は大きくなっている。
【００１０】したがって、同じ断面積の管で給水する場合、給水速度（落下速度）を遅くすれば発生音は小さくなることになる。そこで緩やかな勾配のガター（樋）によって上部からの洗浄水を側壁に導けば、重力方向の給水速度（落下速度）が遅くなって発生音は減少する。さらに側壁に沿って給水すれば、騒音源となる乱流が生ぜず、流れは平面的な層流となって空気相を撹乱せずに静かに移動する。同時に、器壁と水との界面張力（表面張力）によって水分子が器壁に吸着し、運動エネルギーが吸収されて給水速度が遅くなり、発生音は減少するようになる。さらに、器壁に接触する落下水の面積を拡げれば、同じ水量で給水しても、給水速度は一層遅くなって音は小さくなる。
【００１１】一方、物質の密度と音の伝播速度の積である固有音響インピーダンスが異なれば音は伝達しにくくなる。水と空気の固有音響インピーダンスは大きく異なっており、水中での発生音は空気中には殆ど伝播しない。したがって、洗浄用タンクの底面に溜まっている溜水の中に洗浄水を給水すれば、通常の場合、発生音は殆ど聞こえず、底面における層流及び界面張力効果と重なって静音化が図られる。ただし、底面に給水する場合は重力と直角方向の力が働くため、乱流を生じやすい。乱流で水面を乱すと音が聞こえるので、水面の乱れを抑えるため、水路拡大筒などを使って、水流を平面的な層流に整えることが望ましい。
【００１２】
【発明の実施の形態】
発明の実施の形態を実施例にもとづき、図面を参照して説明する。
図１において、ボールタップ（３）の吐水口（４）に、消音網の代わりに、フレキシブルなビニール製の導水パイプ（３０）を取り付け、締付具（３１）でしっかり固定する。該導水パイプ（３０）の他端には合成樹脂製の水路拡大筒（３２）を取り付け、これをタンクの底面（１４）に溜まっている溜水（１７）の中に浸没して、底面（１４）に沿って広く給水出来るようにする。又、ボールタップ（３）からの漏れ落下水については、吊り式のガター（樋）（４１）を有する補助給水具（４０）で受けて、側壁（１３）に沿って流すようにする。
【００１３】一方、手洗鉢（６）の吐水口（７）の下部下方の位置に、補助給水具（２０）を取り付ける。取り付けは該補助給水具（２０）を支持する支持柱（２３）の両端に備えた吸盤（２２）で側壁（１３）に吸着させて行う。該補助給水具（２０）は、中央から前後の側壁（１３）に向かって下り勾配となっているガター（樋）（２１）を有しており、吐水口（７）からの落下水をタンクの側壁（１３）に導くことが出来るようになっている。
【００１４】図２は補助給水具（２０）の実施例を示すもので、中央から左右両側に緩やかな下り勾配となっている末広がりの合成樹脂製のガター（樋）（２１）を、支持板（２５）及び支持棒（２４）によって支持柱（２３）に取り付けている。該支持柱（２３）の両端にはタンクの側壁（１３）に密接出来るように吸盤（２２）が取り付けられており、又、支持柱（２３）の内部にはコイルばね（２６）を内蔵して、吸盤（２２）の１つを支持柱（２３）の軸方向に伸縮出来るようにして、タンクの側壁（１３）への取り付けが容易になるようにしている。
【００１５】図３は前記補助給水具（２０）の取り付けの実施例を示すもので、左右の側壁（１３）に平均して給水出来るように、合成樹脂製のガター（樋）（２１）の中央部が手洗鉢（６）の吐水口（７）の真下に来るような状態で、支持柱（２３）の吸盤（２２）で側壁（１３）に固定されている。側壁（１３）に接するガター（樋）（２１）の両端にはそれぞれスリット（２７）を設けて、該スリット（２７）から洗浄水が側壁（１３）に沿って静かに流出出来るようにしている。
【００１６】図４は補助給水具の他の実施例を示すもので、スリット（４３）を設けた硬質ゴム製のガター（樋）（４１）に吊り針金（４２）を２本取り付けている。この補助給水具（４０）は、ボールタップ（３）に吊して漏れ落下水を側壁（１３）へ導くために用いる。
【００１７】図５は導水パイプ（３０）の実施例を示すもので、フレキシブルなビニール製のパイプの一端に締付具（３１）を取り付け、他の一端には合成樹脂製の水路拡大筒（３２）を取り付けている。
【００１８】なお、本発明は前記実施例に限定されるものではなく、さらに多くの変更が可能である。例えば、本発明では既設のタンクでも適用出来る方法を提案しているが、新規製作の場合には、ガター（樋）や導水パイプなどを予め固定したり、ボールタップから直接底面に給水するなど、前記の原理を応用した恒久的な方法をいろいろ実施することが出来る。
【００１９】
【発明の効果】
本発明は以上説明したように構成されているので、以下に記載するような効果を奏する。
【００２０】水洗便器洗浄用タンク内にボールタップから洗浄水を給水するに際し、手洗吐水管のないタンクにおいては、ボールタップの吐水口に導水パイプを接続して洗浄水をタンクの底面に沿って溜水中に給水すれば、タンク内の給水落下音を簡単に減らすことが出来る。又、ボールタップからの漏れ落下水に対してはガター（樋）を有する補助給水具で受けて、この水を側壁に沿って流すようにすれば、給水落下音は殆ど無くなる。
【００２１】さらに、手洗吐水管を備えた水洗便器洗浄用タンクにおいては、上記の方法に加えて、手洗鉢の吐水口下方にガター（樋）を有する補助給水具を備え、手洗水をタンクの側壁に沿って流すようにすれば、タンク内の給水落下音は聞こえない位迄減少する。
【００２２】さらに、水洗便器洗浄用タンクに接続する外部の給水配管に防音材を巻いて防音ラギングをしたり、タンクへの給水速度を遅くしたりして配管からの個体伝播音を減らすようにすれば、前記の給水落下音の減少と相俟って、より大きな静音化効果が得られる。
【図面の簡単な説明】
【図１】水洗便器洗浄用タンクの給水機構の実施例を示す縦断面図である。
【図２】補助給水具の実施例を示す説明図である。
【図３】補助給水具の取り付けの実施例を示す側断面図である。
【図４】補助給水具の他の実施例を示す斜視図である。
【図５】導水パイプの実施例を示す説明図である。
【符号の説明】
１    洗浄用タンク                    ２    給水口
３    ボールタップ                    ４、７、吐水口
５    手洗吐水管                      ６    手洗鉢
９    洗浄レバー                    １０    鎖
１１    浮玉                          １２    オーバーフロー管
１３    側面                          １４    底面
１５    フロート弁                    １６    流出口
１７    溜水                          ２０、４０、補助空水具
２１、４１、ガター（樋）              ２２    吸盤
２３    支持柱                        ２４    支持棒
２５    支持板                        ２６    コイルばね
２７、４３、スリット                  ２８    水路
３０    導水パイプ                    ３１    締付具
３２    水路拡大筒                    ４２    吊り針金
【図１】
2004190461.tif 000003
【図２】
2004190461.tif 000004
【図３】
2004190461.tif 000005
【図４】
2004190461.tif 000006
【図５】
2004190461.tif 000007